(57)【要約】      （修正有）【課題】屏風に改良を加える構成につき、屏風の表装面を直接的に装飾するものではなく、斬新性を高めるため、屏風の縁取枠を利用して屏風の表装面を間接的に装飾することができる屏風用吊るし飾りを提供する。【解決手段】屏風用吊るし飾り１は、人形等を飾る際の背景となる屏風２に用いられるもので、屏風２の縁取枠２０に係止される係止部１０と、係止部１０に接続される吊るし飾り部１１とからなる。屏風２の前に配置される人形等が雛人形であれば、飾物は桃の花の形状に成形したり、模様とすることで、屏風２の前に配置される人形等と屏風用吊るし飾り１とを意匠的に統一性があるものとすることができる。【選択図】図１
0003209359.tif 000002
【実用新案登録請求の範囲】
【請求項１】
人形等を飾る際の背景となる屏風において、屏風の縁取枠に係止される係止部と、係止部に接続される吊るし飾り部とからなる屏風用吊るし飾り。
【請求項２】
前記屏風用吊るし飾りは、屏風の連結部に沿って配置されることを特徴とする請求項１に記載の屏風用吊るし飾り。
【請求項３】
前記吊るし飾り部は、屏風の前に配置される人形等と意匠的に統一性があることを特徴とする請求項１又は２に記載の屏風用吊るし飾り。
【請求項４】
前記係止部と前記吊るし飾り部は、着自在に構成されていることを特徴とする請求項１乃至３の何れかに記載の屏風用吊るし飾り。
【考案の詳細な説明】
【技術分野】
【０００１】
本考案は、人形等を飾る際の背景となる屏風に係止される屏風用吊るし飾りに関するものである。
【背景技術】
【０００２】
装飾として用いられる屏風に関し、次のような従来例がある。
特許文献１は、屏風体１の裏面には複数枚の棚板６を設け、かつその屏風体１のパネル３表面には、装飾絵１３とともに大小複数の挿入孔１０を設けた前記棚板６に、花Ａの茎を差し込む水容器１１をそれぞれの挿入孔１０部に位置固定した裏面に、引き戸９などによる覆い部材８を備えた構成である花が生けられる屏風を開示する。
【０００３】
特許文献２の「屏風」は、布地又は和紙等を貼着した裏板上面に鉄鈑を載せ、該鉄鈑上に布地又は和紙等を貼着してその周辺を縁取り枠にて囲繞して表装面２１を一面又は複数面に形成し、裏面に磁性体を貼着した任意形状の板絵を表装面２１内に設けている。
【０００４】
一方、人形等を飾る際の背景となる屏風として、特許文献３の「節句用飾り台」は、雛人形、五月人形、兜、鎧等の各種の節句用飾りを載置して飾るようにした節句用飾り台Ａであって、基台１と、基台１の上に載置する屏風１５とからなり、屏風１５に装着凹部１６を凹設し、装着凹部１６に家紋取付台座１７を固定し、プレート状或いはシート状に形成する任意の家紋表示体１９を、家紋取付台座１７に装着せしめられるよう構成されている。
【先行技術文献】
【特許文献】
【０００５】
【特許文献１】特開２００１−２８６３７６号公報
【特許文献２】実開平６−１９６３３号公報
【特許文献３】特開平１０−５１０８号公報
【０００６】
これら特許文献１及び同２の通常の屏風及び同３の節句用飾の屏風に共通している構成は、専らに屏風の表装面に改良を加えた点である。
これらの改良点は、屏風の表装面が装飾の対象となっていることによるが、このように屏風の表装面に限定される改良構成は、斬新性に欠けるきらいがある。
【考案の概要】
【考案が解決しようとする課題】
【０００７】
そこで、本考案は、屏風に改良を加える構成につき、屏風の表装面を直接的に装飾するものではなく、斬新性を高めるため、屏風の縁取枠を利用して屏風の表装面を間接的に装飾することができる屏風飾りを提供することを目的とする。
【課題を解決するための手段】
【０００８】
本考案は、人形等を飾る際の背景となる屏風において、屏風の縁取枠に係止される係止部と、係止部に接続される吊るし飾り部とからなる屏風用吊るし飾りとした（請求項１に記載の考案）。
【０００９】
前記屏風用吊るし飾りは、屏風の連結部に沿って配置されることを特徴とする屏風用吊るし飾りとした（請求項２に記載の考案）。
【００１０】
前記吊るし飾り部は、屏風の前に配置される人形等と意匠的に統一性があることを特徴とする屏風用吊るし飾りとした（請求項３に記載の考案）。
【００１１】
前記係止部と前記吊るし飾り部は、着脱自在に構成されていることを特徴とする屏風用吊るし飾りとした（請求項４に記載の考案）。
【考案の効果】
【００１２】
本考案は、屏風の縁取枠を利用した屏風飾りを提供することで、屏風の表装面を間接的に装飾することができ、斬新性を高めるとともに、屏風の前に配置される人形等の興趣を高めることができる。
【図面の簡単な説明】
【００１３】
【図１】屏風用吊るし飾りを吊るした屏風の正面図、
【図２】屏風用吊るし飾りを取り付けた屏風の裏面図、
【図３】屏風用吊るし飾りの側面図である。
【考案を実施するための形態】
【００１４】
本考案に係る屏風用吊るし飾り１は、人形等を飾る際の背景となる屏風２に用いられるもので、図１のように、屏風２の縁取枠２０に係止される係止部１０と、係止部１０に接続される吊るし飾り部１１とからなる。
【００１５】
前記屏風２は、一扇のものでもよいし、複数枚の扇からなる一隻のものでもよい。
各扇は、各表装面２１の四周に縁取枠２０が取り付けられており、複数枚の扇は丁番等で連結されている。
かかる屏風２に対し、屏風用吊るし飾り１の係止部１０が、前記屏風２の縁取枠２０に係止され、係止部１０に接続される吊るし飾り部１１が、表装面２１又は各扇間の連結部２２の前方に配置されている。
【００１６】
前記係止部１０は、フック状のもので、フック本体とこれを化粧するための布等で構成され、カバーされている。
【００１７】
前記吊るし飾り部１１は、図３のように、前記係止部１０に接続される紐３と、その紐３に間隔をあけて固定された飾物４からなる。
飾物４は、花鳥風月をモチーフとしたもの、球体に抽象的なデザインを施したものでもよく、その紐３に例えば接着剤等で固定されている。
前記球体状の飾物４は、綿等を丸めて、その外側を布等で覆って作り、針で、その中心に紐３を通すようにする。外側の布等には、種々のモチーフを描くことができる。
【００１８】
屏風２の前に配置される人形等が、雛人形であれば、飾物４を桃の花の形状に成形したり、模様を描くようにする。また五月人形であれば、飾物４は菖蒲の花等をモチーフとして、その模様を描くようにする。よって屏風２の前に配置される人形等と前記吊るし飾り部１１とを意匠的に統一性があるものとすることができる。
【００１９】
前記吊るし飾り部１１と前記係止部１０は、不離一体のものでもよいし、前記吊るし飾り部１１と前記係止部１０とを着脱自在に構成して、例えばそれぞれ着脱自在なテープを設けてもよい。
【００２０】
以上の屏風用吊るし飾り１によれば、次のような効果を奏する。
（１）  屏風２の縁取枠２０を利用した屏風飾りを提供することで、斬新性を高めるとともに、興趣を高めることがきる。
（２）  前記係止部１０が前記屏風２の各扇間の縁取枠２０に係止されている場合、各扇の連結部２２に形成される隙間、その隙間に表れる、各パネルを連結させる丁番等の連結手段が、吊るし飾り部１１によりカバーされる。
よって、前記屏風２の表装面２１だけでなく、屏風２全体を装飾の対象にすることができる。
（３）  前記吊るし飾り部１１は、屏風２の前に配置される人形等と意匠的に統一性があることとすれば、人形等に対する興趣を高めることができる。
【符号の説明】
【００２１】
１    屏風用吊るし飾り
１０  係止部                            １１  吊るし飾り部
２  屏風                                ２０  縁取枠
２１  表装面                            ２２  連結部
３  紐
４  飾物
【図１】
0003209359.tif 000003
【図２】
0003209359.tif 000004
【図３】
0003209359.tif 000005